【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
無線基地局により指定される第１の無線端末から、前記無線基地局との間で同期をとるための同期フィールド、前記無線基地局が受信した信号に対する受信ゲインを制御するための第１ＡＧＣフィールド、前記無線基地局との間のチャネルの推定を行うための第１チャネル推定フィールド及び第１データフィールドを含む第１送信フレームを前記無線基地局に送信するステップと、
第２の無線端末から、前記無線基地局が受信した信号に対する受信ゲインを制御するための第２ＡＧＣフィールド、前記無線基地局との間のチャネルの推定を行うための第２チャネル推定フィールド及び第２データフィールドを含む第２送信フレームを前記無線基地局に送信するステップとを具備し、
前記第１送信フレーム及び第２送信フレームは、前記第１チャネル推定フィールド及び第２チャネル推定フィールドが異なるタイミングで送信されるように構成される無線通信方法。
【請求項２】
１つの無線基地局と第１の無線端末及び第２の無線端末を含む複数の無線端末を有する無線通信システムにおいて、
前記無線基地局との間で同期をとるための同期フィールド、前記無線基地局が受信した信号に対する受信ゲインを制御するための第１ＡＧＣフィールド、前記無線基地局との間のチャネルの推定を行うための第１チャネル推定フィールド及び第１データフィールドを含む第１送信フレームを前記無線基地局に送信する、前記無線基地局により指定される第１の無線端末と、
前記無線基地局が受信した信号に対する受信ゲインを制御するための第２ＡＧＣフィールド、前記無線基地局との間のチャネルの推定を行うための第２チャネル推定フィールド及び第２データフィールドを含む第２送信フレームを前記無線基地局に送信する第２の無線端末とを具備し、
前記第１送信フレーム及び第２送信フレームは、前記第１チャネル推定フィールド及び第２チャネル推定フィールドが異なるタイミングで送信されるように構成される無線通信システム。
【請求項３】
前記第１の送信フレームは、前記同期フィールドの送信後に前記第１ＡＧＣフィールドから前記第１データフィールドまでの長さを示す信号長情報を有するフレーム構成指示フィールドを送信するように構成される請求項２記載の無線通信システム。
【請求項４】
前記第１送信フレーム及び第２送信フレームは、前記第１ＡＧＣフィールド及び第２ＡＧＣフィールドが同一タイミングで送信されるように構成される請求項２に記載の無線通信システム。
【請求項５】
前記第１送信フレーム及び第２送信フレームは、前記第１ＡＧＣフィールド及び第２ＡＧＣフィールドが異なるタイミングで送信されるように構成される請求項２に記載の無線通信システム。
【請求項６】
前記第１送信フレーム及び第２送信フレームは、前記第１データフィールド及び第２データフィールドが同一タイミングで送信されるように構成される請求項２乃至５のいずれか１項に記載の無線通信システム。
【請求項７】
前記第１送信フレーム及び第２送信フレームは、前記第１ＡＧＣフィールド及び第２ＡＧＣフィールドとして前記第１チャネル推定フィールド及び第２チャネル推定フィールドのＡＧＣを行うための第１及び第２のサブＡＧＣフィールドと、前記第１データフィールド及び第２データフィールドのＡＧＣを行うための第３及び第４のサブＡＧＣフィールドが送信されるように構成される請求項２に記載の無線通信システム。
【請求項８】
前記第１送信フレーム及び第２送信フレームは、前記第１及び第２のサブＡＧＣフィールドが異なるタイミングで送信され、前記第３及び第４のサブＡＧＣフィールドが同一タイミングで送信されるように構成される請求項７に記載の無線通信システム。
【請求項９】
前記第１送信フレーム及び第２送信フレームは、前記第１チャネル推定フィールド及び第２チャネル推定フィールドとしてそれぞれ周波数の異なる複数のサブ推定フィールドを順次送信するように構成され、かつ同時に送信されるサブ推定フィールドは異なる周波数を有するように構成される請求項２に記載の無線通信システム。
【請求項１０】
前記第２の送信フレームは、前記同期フィールドと同時に該同期フィールドをサイクリックシフトさせた第２の同期フィールドを送信するように構成される請求項２に記載の無線通信システム。
【請求項１１】
前記第１の送信フレームは、前記同期フィールドの送信後に信号長情報を有するフレーム構成指示フィールドを送信するように構成され、前記第２の送信フレームは、前記同期フィールドと同時に該同期フィールドをサイクリックシフトさせた第２の同期フィールドを送信し、前記フレーム構成指示フィールドと同時に該フレーム構成指示フィールドをサイクリックシフトさせた第２のフレーム構成指示フィールドを送信するように構成される請求項２に記載の無線通信システム。
【請求項１２】
前記第１送信フレーム及び第２送信フレームは、前記第１チャネル推定フィールド及び第２チャネル推定フィールドとして、それぞれ直交化された複数のサブ推定フィールドを順次送信するように構成される請求項２に記載の無線通信システム。
【請求項１３】
前記第１の送信フレームは、前記第１チャネル推定フィールドの送信後、少なくとも該第１チャネル推定フィールドの時間長以上の時間経過後に前記第２データフィールドが送信されるように構成される請求項２に記載の無線通信システム。
【請求項１４】
前記時間間隔は、前記第１チャネル推定フィールドの時間長の整数倍である請求項１３に記載の無線通信システム。
【請求項１５】
前記時間間隔は、前記第１チャネル推定フィールドの時間長と前記第１ＡＧＣ用フィールドの時間長の和の整数倍である請求項１３に記載の無線通信システム。
【請求項１６】
前記第２の送信フレームは、前記第２ＡＧＣフィールドと前記第２チャネル推定フィールドの送信開始時刻が第２チャネル推定フィールドと前記第２データフィールドとの時間間隔の間に設定される請求項２に記載の無線通信システム。
【請求項１７】
前記第１の送信フレームは、前記第１ＡＧＣフィールドと前記第１チャネル推定フィールドの送信開始時刻が前記第１チャネル推定フィールド及び第２チャネル推定フィールドの時間長の整数倍の時間間隔の間に設定され、前記第２の送信フレームは前記第２ＡＧＣフィールドの送信開始時刻が前記第２ＡＧＣフィールドの送信開始時刻と等しく設定される請求項２に記載の無線通信システム。
【請求項１８】
前記無線基地局は、前記第１の無線端末及び第２の無線端末に対してポーリングフレームを同時に送信するように構成され、前記第１の無線端末及び第２の無線端末は、前記ポーリングフレームを受信してから一定時間後に前記第１の送信フレーム及び第２の送信フレームとしてデータフレームを同時に送信するように構成される請求項２に記載の無線通信システム。
【請求項１９】
前記無線基地局は、前記第１の無線端末及び第２の無線端末に対してデータフレームを同時に送信するように構成され、前記第１の無線端末及び第２の無線端末は、前記データフレームを受信してから一定時間後に前記第１の送信フレーム及び第２の送信フレームとして送達確認フレームを同時に送信するように構成される請求項２に記載の無線通信システム。
【請求項２０】
前記無線基地局は、前記複数の無線端末に対して前記第１の無線端末及び第２の無線端末のいずれとして動作するかを通知するトリガフレームを送信するように構成される請求項２に記載の無線通信システム。
【請求項２１】
前記無線基地局は、前記複数の無線端末から送信される信号の受信電力を基準として前記複数の無線端末をグルーピングし、同一グループ内の無線端末を前記第１の無線端末及び第２の無線端末として選択するように構成される請求項２に記載の無線通信システム。
【請求項２２】
前記第１の無線端末及び第２の無線端末は、前記無線基地局における前記第１の送信フレーム及び第２の送信フレームの受信電力が設定値となるように前記第１の送信フレーム及び第２の送信フレームの送信電力を制御する送信電力制御手段を有する請求項２に記載の無線通信システム。
【請求項２３】
前記第１の無線端末は複数の送信部を有し、前記第１データフィールドについては複数の送信部により送信を行い、前記同期フィールドについては単一の送信部により送信を行うように構成される請求項２に記載の無線通信システム。
【請求項２４】
前記第１の無線端末は、前記無線基地局を宛先アドレスとするＲＴＳ（Request To Send）フレームを送信し、前記無線基地局からの該ＲＴＳフレームに対する応答のＣＴＳ（Clear To Send）フレームを受信した後、前記第１の送信フレームとしてデータフレームを送信するように構成され、前記第２の無線端末は、前記ＲＴＳフレームもしくは前記ＣＴＳフレームを受信した後、前記第２の送信フレームとしてデータフレームを送信するように構成される請求項２に記載の無線通信システム。
【請求項２５】
前記第１の無線端末は、自局アドレスを宛先アドレスとするＣＴＳ（Clear To Send）フレームを受信した後、前記第１の送信フレームとしてデータフレームを送信し、前記第２の無線端末は、前記ＣＴＳフレームを受信した後、前記第２の送信フレームとしてデータフレームを送信するように構成される請求項２に記載の無線通信システム。
【請求項２６】
前記無線基地局は、前記トリガフレームを送信する際に、第２の無線端末として動作させる各端末のＭＡＣアドレスを通知することを特徴とする請求項２０に記載の無線通信システム。
【請求項２７】
前記無線基地局は、前記トリガフレームを送信する際に、各無線端末のＭＩＭＯ多重数に係わる情報を通知することを特徴とする請求項２０記載の無線通信システム。
【手続補正２】
【補正対象書類名】明細書
【補正対象項目名】０００９
【補正方法】変更
【補正の内容】
【０００９】
本発明の一態様によると、無線基地局により指定された第１の無線端末は、前記無線基地局との間で同期をとるための同期フィールド、前記無線基地局が受信した信号に対する受信ゲインを制御するための第１ＡＧＣフィールド、前記無線基地局との間のチャネルの推定を行うための第１チャネル推定フィールド及び第１データフィールドを含む第１の送信フレームを前記無線基地局に送信し、前記第２の無線端末は、前記無線基地局が受信した信号に対する受信ゲインを制御するための第２ＡＧＣフィールド、前記無線基地局との間のチャネルの推定を行うための第２チャネル推定フィールド及び第２データフィールドを含む第２の送信フレームを前記無線基地局に送信する。ここで、第１チャネル推定フィールドと第２チャネル推定フィールドは異なるタイミングで送信される。